(57)【特許請求の範囲】
【請求項１】
所定の範囲内に入ってきた移動体を検知するセンサと、上記所定の範囲内を含みその範囲を超える画角を有する撮影用のレンズと、上記センサの検知信号によって撮影動作するシャッタと、を備え、上記所定の範囲を外部から切り替え可能に構成したことを特徴とする監視カメラ。
【請求項２】
前記移動体が前記所定の範囲内に入ってきたときの前記シャッタ動作に加え、その範囲内を連続的に動いているときには、所定時間間隔で前記シャッタを動作させて撮影することを特徴とする請求項１記載の監視カメラ。
【請求項３】
昼間は、前記移動体が前記所定の範囲内に入ってきたときのみ前記シャッタを動作させ撮影し、夜間は、前記所定の範囲内に入ってたときに加え、その範囲内を連続的に動いているときには所定時間間隔で前記シャッタを動作させて撮影を行うことを特徴とする請求項１または２記載の監視カメラ。
【請求項４】
前記移動体が前記所定の範囲内に入ってきたときの前記シャッタ動作に加え、その範囲内を連続的に動いているときには、所定時間間隔で前記シャッタを動作させて撮影すると共に、上記所定時間間隔を昼間より夜間を短くしたことを特徴とする請求項１または２記載の監視カメラ。
【請求項５】
夜間は、前記所定の範囲を昼間より大きくすることを特徴とする請求項１、２、３または４記載の監視カメラ。
【請求項６】
前記昼間と前記夜間との切り替えを内蔵のタイマによって自動的に行うことを特徴とする請求項３、４または５記載の監視カメラ。
【請求項７】
前記所定の範囲をα度とし、前記画角をβ度としたとき、αとβの関係をβ／１．５≧α≧β／６としたことを特徴とする請求項１から６のいずれか１項記載の監視カメラ。
【請求項８】
前記所定の範囲を切り替えスイッチにて切り替え可能に構成したことを特徴とする請求項１から７のいずれか１項記載の監視カメラ。
【請求項９】
前記センサが前記移動体を検知したとき、その検知信号によって警報動作するアラーム手段をさらに有することを特徴とする請求項１から８のいずれか１項記載の監視カメラ。
【請求項１０】
来訪者が操作するプッシュホンをさらに備え、前記センサが前記移動体を検知した後、上記プッシュホンが一定時間内に操作されなかったとき警報動作するアラーム手段を有することを特徴とする請求項１から９のいずれか１項記載の監視カメラ。
【発明の詳細な説明】
【０００１】
【発明の属する技術分野】
本発明は、不審者等の移動体を撮影できる監視カメラに関する。
【０００２】
【従来の技術】
従来から銀行、コンビニエンスストア等においては、強盗への対策として監視カメラを配置している。従来の監視カメラは、一定時間間隔でシャッタを切る方式を採用したり、連続的に撮影する方式を採用したりしている。また、撮影画像の保存手段として、ビデオフィルムを利用している場合が多い。
【０００３】
【発明が解決しようとする課題】
従来の一定時間間隔でシャッタを切る方式の場合、人の動きに関係なく一定間隔での撮影となるため、撮影枚数が多くなり、コストがかさむこととなる。しかも設定した時間間隔が長いと、かんじんの強盗の映像が１〜２枚しか撮影されていなかったというような問題が生じる。
【０００４】
また、従来の連続的に撮影する方式の場合、記録媒体が数時間毎に上書きされるため、事件発生後、半日以上も経ってから映像を確認しようとしたときには、状況を写す画像が上書きされていて残っていなかったというような問題が生ずる。
【０００５】
また、従来の各方式は、ビデオ方式のため、装置として構造が複雑となり、また大型化している。また、監視カメラの撮影機構が、一定間隔や連続的に動作し続けているため、短期間で機械寿命がきてしまうこととなる。さらに、従来の監視カメラは、強盗等の不審者としては、自己が撮影されていることに気づかないことが多く、事件の予防という面での効果は少ない。
【０００６】
本発明は、上述の問題点を解決するためになされたものであり、撮影対象となる移動体を確実に撮影できると共に不必要な画像を撮影せず長期間の連続監視を可能とする監視カメラを提供することを目的とする。
【０００７】
【課題を解決するための手段】
上述の目的を達成するため、本発明の監視カメラは、所定の範囲内に入ってきた移動体を検知するセンサと、所定の範囲内を含みその範囲を超える画角を有する撮影用のレンズと、センサの検知信号によって撮影動作するシャッタとを備え、所定の範囲を外部から切り替え可能に構成している。
【０００８】
この監視カメラでは、レンズの画角内にセンサの検知範囲が納まることとなるので、検知対象となる移動体、すなわち撮影対象を確実に撮影できることとなる。また、センサの検知信号に基づいて撮影がなされるので、商品等の動かない固定物のみが写っている場合は、撮影は行われない。このため、不必要な画像は撮影されないこととなり、記録媒体の取り替え作業の頻度を少なくすることができ、長期間の連続監視が可能となる。また、監視カメラが配置される場所、監視カメラで撮影する対象等の条件に合わせ適切な撮影を行うことが可能となる。なお、外部からの切り替え可能な構成としては、切り替えスイッチを監視カメラに設ける方式、内部のスイッチを赤外線等を使用したリモコンで操作する方式等を採用することができる。また、切り替えも、間欠的切替や連続的切替のいずれをも採用することができる。また、上書き方式の場合は、上書きされない期間を長期間とすることができ、画像有効保存期間を長くすることができる。
【０００９】
また、他の発明は、上述の発明の監視カメラに加え、移動体が所定の範囲内に入ってきたときのシャッタ動作に加え、その範囲内を連続的に動いているときには所定時間間隔でシャッタを動作させて撮影している。
【００１０】
このように、動くもののみを所定時間間隔で撮影するため、記録媒体を取り替えることなく、より一層長期間の監視が可能となる。しかも、動くものを所定時間間隔で確実に撮影するため、コマの節約と同時に撮影対象者の確実な撮影が可能となる。
【００１１】
また、他の発明は、上述の各発明の監視カメラに加え、昼間は、移動体が所定の範囲内に入ってきたときのみシャッタを動作させ撮影し、夜間は、所定の範囲内に入ってたときに加え、その範囲内を連続的に動いているときには所定時間間隔でシャッタを動作させて撮影を行うものとしている。
【００１２】
この監視カメラでは、昼間は通常の来訪者が多いので、その来訪者に対しては撮影枚数を減らすことができる一方、夜間は、来訪者は少なく、強盗等の不審者が入ってくる危険が多くなるため、撮影枚数を増やすことができる。このため、長期間の連続監視と、必要な写真を撮ることができる確実性とを両立させることができる。
【００１３】
さらに、他の発明は、上述の各発明の監視カメラに加え、移動体が所定の範囲内に入ってきたときのシャッタ動作に加え、その範囲内を連続的に動いているときには、所定時間間隔でシャッタを動作させて撮影すると共に、所定時間間隔を昼間より夜間を短くしている。
【００１４】
このように、動いているものの撮影間隔を昼間より夜間を短くしているので、昼間は通常の来訪者が多いので、その来訪者に対しては撮影枚数を減らすことができる一方、夜間は、来訪者は少なく、強盗等の不審者が入ってくる危険が多くなるため、撮影枚数を増やすことができる。このため、長期間の連続監視と、必要な写真を撮ることができる確実性とを両立させることができる。
【００１５】
また、他の発明は、上述の各発明に加え、夜間は、所定の範囲を昼間より大きくしている。
【００１６】
このため、夜間は撮影（監視）範囲を広くでき、不審者をより確実に撮影することができる。一方、昼間は一般の来訪者が多く、コマ数の無駄を減少させることができる。
【００１７】
加えて、他の発明は、上述の発明における昼間と夜間との切り替えを内蔵のタイマによって自動的に行うものとしている。
【００１８】
このため、昼夜の切り替えをタイマによって自動的に行うことが可能となり、切替釦等の操作が不必要となり、扱い易い監視カメラとなる。
【００１９】
また、他の発明は、上述の各発明に加え、所定の範囲をα度とし、画角をβ度としたとき、αとβの関係をβ／１．５≧α≧β／６としている。
【００２０】
所定の範囲（センサの検知範囲）とレンズの画角との関係を上述のように構成したので、撮影枚数を抑えることができる一方、あまりにも撮影枚数が減少し、必要な撮影が行われないという問題を無くすこともできる。また、撮影時に不審者の手や足だけが撮影されるという不具合も生じにくくなる。
【００２１】
また、他の発明は、上述の各発明の監視カメラに加え、所定の範囲を切り替えスイッチにて切り替え可能に構成している。
【００２２】
このため、監視カメラが配置される場所、監視カメラで撮影する対象等の条件に合わせ適切な撮影を切り替えスイッチの切り替えという簡単な動作で行うことが可能となる。
【００２３】
さらに、他の発明は、上述の各発明に加え、センサが移動体を検知したときその検知信号によって警報動作するアラーム手段をさらに有している。
【００２４】
このように、警報動作するアラーム手段を設け動作させることで、不審者が驚くこととなり、家屋内等に侵入するのを防止することができる。なお、アラーム手段としては、音を出すブザーや警報器、光を発するストロボや照光器等を採用することができる。
【００２５】
また、他の発明は、上述の各発明の監視カメラに加え、来訪者が操作するプッシュホンをさらに備え、センサが移動体を検知した後、プッシュホンが一定時間内に操作されなかったとき警報動作するアラーム手段を有している。
【００２６】
このように構成しているため、プッシュホンを押さないことが多い不審者に対してアラーム手段によって警報を行うことができ、不審者等の侵入防止も図ることができる。なお、プッシュホンとしては、押したりタッチするとブザーが鳴るタイプやタッチしたりするとブザーと共に来訪者の映像が映し出されるタイプのものなど種々の形式のものを採用することができる。
【００４７】
【発明の実施の形態】
以下、本発明の実施の形態に係る監視カメラについて、図面を参照しながら説明する。なお、まず、図１から図３に基づいて、実施の形態１に係る監視カメラについて説明することとする。
【００４８】
実施の形態１に係る監視カメラ１０は、図１および図２に示すように、カメラ部１と、半導体メモリ２を内部に有する本体部３と、ドア付近に取り付けられるプッシュホン４と、カメラ部１で撮影した映像を映し出すモニタとなるテレビジョン（以下ＴＶと略す）５とから主に構成される。なお、本体部３は電源供給手段となるコンセント６に接続されている。
【００４９】
カメラ部１は、センサ部８と、ＣＣＤカメラからなるカメラ機構部９とを有する。センサ部８は、所定の範囲内に入ってきた移動体となる来訪者や侵入者を検知するセンサ１１を備えている。カメラ機構部９は、このセンサ１１の検知範囲を含み、その範囲を超える画角を有する撮影用のレンズ１２を有するレンズ部１３と、センサ１１の検知信号によって撮影動作するシャッタ（図示省略）とを備えている。
【００５０】
カメラ部１は、この実施の形態１では、ドアの上部に取り付けられセンサ１１の前面とレンズ１２の前面とが共にドアに対面する来訪者に向かうように設置される。カメラ部１は、本体部３にコードなどの接続手段によって電気的に接続される。カメラ機構部９の撮像部（図示省略）は、１００万画素のＣＣＤからなる電荷結合素子で構成されており、５ｍ程度離れた移動体、たとえば人物の顔が認識できるものとなっている。
【００５１】
半導体メモリ２は、この実施の形態１では、コンパクトフラッシュ型のメモリカードで、容量が１６メガバイトとなっている。カラー画像の場合、５００枚の静止画を記録できる。半導体メモリ２は、本体部３に対して抜き差し可能で、その記録内容はパーソナルコンピュータでも再生可能となっている。
【００５２】
本体部３には、半導体メモリ２の他に、カメラ機構部９で撮影したアナログ映像をデジタル化するＡＤコンバータ２１と、ＡＤコンバータ２１でデジタル化された撮像データを後述する監視モード時に圧縮し半導体メモリ２に保存すると共に半導体メモリ２に保存されたデータを取り出し伸張する圧縮伸張手段２２と、この圧縮伸張手段２２で伸張されたデジタルデータをテレビ画像の１つの規格であるＮＴＳＣ規格のアナログデータに変換するＤＡコンバータ２３と、カメラ部１や本体部３内の各部を制御する制御部２４とが配置されている。
【００５３】
本体部３には、さらに、制御部２４のモードを上述した監視モードと、通常撮影モードと、後述する再生モードとに切り替えるモード切替スイッチ２５と、通常撮影モードの際にＡＤコンバータでデジタル化されたデータを圧縮せずにそのままＤＡコンバータ２３でアナログ化するためのスルー通路を形成するためのスルースイッチ２６とが設けられている。
【００５４】
センサ１１は、この実施の形態１では、カメラ部１に内蔵されており、レンズ部１３のわずか下側に配置されている。センサ１１は、アンプ内蔵タイプで人体等の動物から発せられる赤外線を検出するものとしている。このセンサ１１は、周囲と温度差のある人体等が動く際に生ずる赤外線の変化を検出するもので、たとえば座っている人のわずかな動きさえも検出するものである。
【００５５】
センサ１１の検知範囲角度αは、この実施の形態１では、図３に示すように、レンズ１２の画角β内に納まるようにし、かつ検知範囲角度αを２０度とし、画角βを９０度としている。レンズ１２を魚眼レンズとする場合は、画角βは１５０〜２００度程度となる。なお、図３は、上方から見た平面図であるため、センサ１１とレンズ１２の位置を同一な場所として示しているが、側方から見た場合には、両者の位置はわずかに上下にずれることとなる。上下方向においても、αとβの関係は、図３に示すような関係となっている。
【００５６】
センサ１１は、検知範囲角度α内に周囲と温度差のある動く物（者）（＝移動体）が入ってくるとそれを検知し、オンする。そのオン信号が検知信号であり、この検知信号によってシャッタが開き１枚の映像を撮る。そして、その動く物（者）が検知範囲角度α内で動き続けると、その状態を検知し続け、カメラ部１は所定時間間隔で映像を撮り続ける。このセンサ１１の監視距離（検知距離）は５ｍ程度とされている。この監視距離は、センサ１１の種類を変えることで、２〜１５ｍの範囲で変更できる。
【００５７】
検知範囲角度α内に入ってきた物（者）がその動きを停止すると、センサ１１はオフし、撮影は中断する。再度、その物（者）が動きを開始すると、センサ１１は再びオンし、そのオン時点で再度１枚の映像を撮る。その後、上述と同様に、その物（者）が検知範囲角度α内で動き続ける限り所定時間間隔で映像を撮り続ける。その物（者）が検知範囲角度αから外れると、センサ１１はオフする。
【００５８】
センサ１１の所定範囲となる検知範囲角度αとレンズ１２の画角βの関係は、β／１．５≧α≧β／６とするのが好ましい。検知範囲角度αを画角βに対し一定以上小さくすると、撮影された画像が手や足のみで顔等を含めた全体が写っていないという現象が生じにくくなる。一方、検知範囲角度αを画角βに対し所定以上とすることで、写すチャンスが多くなり欲しい映像が撮影できないという不具合が生じにくくなる。
【００５９】
この実施の形態１では、上述の所定時間間隔としては、１秒を採用している。この値は、０．３〜１０秒とするのが好ましい。また、所定の操作手段で、この間隔を連続的に変更できるようにしても良い。なお、０．３秒以上とすると、撮影コマの節約を図ることができ、１０秒以下とすると、不審者に関しては２枚以上の撮影の可能性を高くすることができるためである。また、この実施の形態１では、検知範囲角度αを１５度、２０度、３０度、４０度、５０度、６０度の６段階に切り替えることができる操作手段（図示省略）を本体部３の外側に配置している。
【００６０】
制御部２４は、中央演算装置（ＣＰＵ）からなり、その内部にタイマを有している。このタイマによって、昼間の撮影方法と、夜間の撮影方法とを切り替えるようにしている。この実施の形態１では、昼間は、移動体となる来訪者が検知範囲角度α内に入ってきたときのみシャッタを動作させるようにし、夜間は、移動体となる来訪者が検知範囲角度α内に入ってきた場合に加え、来訪者が動いている限り上述した所定時間間隔でのシャッタ動作（撮影動作）を行わせている。
【００６１】
次に、以上のような構成を有する監視カメラ１０の動作について説明する。
【００６２】
まず、監視カメラ１０の設置に当たり、本体部３の操作手段を操作して、検知範囲角度αを所定のもの（１５度、２０度、３０度、４０度、５０度、６０度のいずれか）に設定する。この設定は、本体部３が接続されるＴＶ５の撮影画像を見ながら行う。
【００６３】
すなわち、この時にはモード切替スイッチ２５によって事前に通常撮影モードに設定しておく。このため、カメラ部１で撮影された画像は、ＡＤコンバータ２１からオンしているスルースイッチ２６を通り、直接にＤＡコンバータ２３に入る。アナログからデジタルへと変換された映像データは、ＤＡコンバータ２３によってデジタルからアナログへと変換され元に戻ることとなり、ＴＶ５から映し出される。この画像を見ながら検知範囲角度αを設定する。この実施の形態１では、検知範囲角度αを２０度としている。
【００６４】
次に、制御部２４内のタイマを利用して、昼間と夜間の撮影方法の設定を行う。昼間としては、午前８時半から午後５時の間として設定しているが、他の時間帯を昼間として設定しても良い。その後、モード切替スイッチ２５を利用して監視モードとする。
【００６５】
監視モードでは、センサ１１が来訪者を検知すると、オンした時点でまず１枚の撮影を行う。その画像は、ＡＤコンバータ２１でデジタルデータとされ、その後圧縮伸張手段２２によって圧縮される。圧縮されたデータは、半導体メモリ２内に保存される。なお、各データの生成や移動は、制御部２４の制御によってなされる。
【００６６】
来訪者の来訪時刻が昼間であり、撮影後すぐに屋内に入れば、その１枚の画像のみがその来訪者の来訪時のものとして保存される。なお、その来訪者が検知範囲角度α内に入ったり出たりを繰り返すと、その検知範囲角度α内に入る度に撮影が行われる。
【００６７】
来訪者の来訪時刻が、たとえば午後１１時という夜間であると、最初の１枚に加え、検知範囲角度α内を連続的に動いていると、さらに所定時間間隔での撮影が行われる。これらの撮影画像は、最初の１枚と同様に圧縮されたデジタルデータとして半導体メモリ２に保存される。
【００６８】
モード切替スイッチ２５をスライドさせかつプッシュすることで再生モードとすることができる。再生モードとなると、制御部２４は、半導体メモリ２に保存されている画像データを圧縮伸張手段２２に送り、データを伸張（復号）する。伸張（復号）されたデータは、ＤＡコンバータ２３に入り、ＮＴＳＣ信号のアナログデータに変換され、ＴＶ５から映像として映し出される。
【００６９】
この実施の形態１では、制御部２４が次のような判断と動作をも行う。すなわち、センサ１１が来訪者を検知した後、プッシュホン４が一定時間内に操作されないことを制御部２４が判定したときには、図示しないアラーム手段、たとえばブザーを鳴らすようにしている。この構成によって、不審者の侵入を未然に防止することができる。
【００７０】
センサ１１による検知後、プッシュホン４が操作されるまでの一定時間として、この実施の形態１では、１分間を採用している。この時間は、監視カメラ１０が設置される場所、季節、時刻によって適宜他の値を採用することができる。一般家庭では３０〜９０秒程度が好ましく、危険性が高い場所では２０〜４０秒程度が好ましい。
【００７１】
なお、半導体メモリ２は、本体部３から取り外し可能であるため、半導体メモリ２に保存されているデータをＴＶ５にて再生するのではなく、パーソナルコンピュータ等他の再生手段にて再生可能である。
【００７２】
次に、本発明の実施の形態２に係る監視カメラ３０を図３に基づいて説明する。なお、実施の形態１と同様な部材、装置については、同一の符号を付すと共に、その説明を省略または簡略化する。
【００７３】
この監視カメラ３０は、カメラ部１が室外に配置されるものとされている。また、本体部３には、センサ１１が移動体となる来訪者を検知したとき、その検知信号によって警報動作を行うアラーム手段となるストロボ７が接続されている。この監視カメラ３０は、センサ１１による検知によって撮影を行うと共にストロボ７を発光させることによって不審者の侵入を未然に防止することができる。
【００７４】
実施の形態２に係る監視カメラ３０は、図３（Ａ）に示すように、監視モードのときはＴＶ５が切り離されている。そして、図３（Ｂ）に示すように、再生モードの際は、本体部３をＴＶ５の近傍まで運び、ＴＶ５が配置されている場所で再生している。このように監視カメラ３０は、実施の形態１にて説明した通常撮影モードでの動作は行わないシステムとなっているが、内部機能として、通常撮影モード機能を有する構成となっている。
【００７５】
次に、本発明の実施の形態３に係る監視カメラ４０を図５に基づいて説明する。なお、実施の形態１と同様な部材、装置については、同一の符号を付すと共に、その説明を省略または簡略化する。
【００７６】
この監視カメラ４０は、上方部分にセンサ１１が配置され、レンズ１２が下方に配置されるカメラ部１を有すると共に、本体部３に映像を写し出すモニタ画面部４１を有している。モニタ画面部４１を本体部３が有しているので、ＴＶ５に接続する必要もなく、またＴＶ５の配置位置を考慮する必要がない。この監視カメラ４０においても、監視モード、通常撮影モード、再生モードの３つのモードを保有させることができる。また、カメラ部１に配置されるセンサ１１やレンズ部１３は、カメラ部１の前面から飛び出ない構造とされている。
【００７７】
次に、本発明の実施の形態４に係る監視カメラ５０を図６に基づいて説明する。なお、実施の形態１と同様な部材、装置については、同一の符号を付すと共にその説明を省略または簡略化する。
【００７８】
この監視カメラ５０は、カメラ機構部９の周囲にヒータ５１と温度センサ５２を配置したもので、その他の構成は実施の形態１と同様となっているものである。このため、図６では、カメラ機構部９とその周囲のみを示すこととしている。図６に示すように、各ヒータ５１は、抵抗５３に電流を流すことで抵抗５３に熱を発生させる構成としたもので、左右の側面に１個ずつ配置されている。温度センサ５２は、この実施の形態４では、サーミスタが採用されている。
【００７９】
この実施の形態４におけるカメラ機構部９は、ＣＣＤカメラとされており、直方体状の枠体部５４の前方面にレンズ部１３が突出する形で形成配置されている。そして、カメラ機構部９の左右の側面に接するように抵抗５３，５３が配置されている。このカメラ機構部９の後方部にはＣＣＤ等の電気部が配置されており、動作時にかなりの熱を発するものとなっている。
【００８０】
ヒータ５１の一部となる抵抗５３の一端は、トランジスタ５５を介して電源（ＶＣＣ）に接続され、他端はアースされている。トランジスタ５５は、制御部２４によって動作するトランジスタ５６でオンオフ制御される。温度センサ５２は、所定温度以下になったことを検知すると、その検知信号を制御部２４へ伝える。制御部２４は、温度センサ５２からの信号に基づいてトランジスタ５６をオンオフ制御する。
【００８１】
なお、この実施の形態４では、このカメラ機構部９の温度仕様が−１０℃〜４０℃とされており、その仕様を−２０℃まで広げるためにヒータ５１、温度センサ５２が設置されている。この値は、他のもの、たとえば−２０℃までの仕様を−４０℃まで広げたり、０℃までの仕様を−３０℃まで広げるものとしたり、他の種々の値を採用することができる。また、左右側方面にヒータ５１が１個ずつ配置されているが、左右側方面にそれぞれ２つずつ（または３つ以上）のヒータ５１を配置するようにしても良い。さらに、温度センサ５２を上面と下面の両者に配置したり、下面側のみに配置するようにしても良い。
【００８２】
最後に、本発明の実施の形態５に係る監視カメラ６０を図７に基づいて説明する。なお、説明に当たっては、実施の形態１および実施の形態４と同様な部材、装置については、同一の符号を付すと共にその説明を省略または簡略化する。
【００８３】
この監視カメラ６０は、実施の形態４に係る監視カメラ５０と同様な機構のヒータ５１と温度センサ５２とを周囲に有するカメラ機構部９を備えているものである。この監視カメラ６０が他の監視カメラ１０，３０，４０，５０と異なる主な点は、カメラ機構部９が断熱材としてのフェルト６１で覆われ、そのフェルト６１の周りを枠材６２で囲むようにしている点である。
【００８４】
フェルト６１は、レンズ部１３および配線６３が飛び出る部分を除いて、カメラ機構部９全体を覆うようにされている。ただし、上述したようにＣＣＤカメラの背面部は、熱を持つことが多く、背面部にはフェルト６１を設けないようにしても良い。枠体６２は、前方枠６２ａと後方枠６２ｂとから構成されており、両者はねじ６４で一体化されている。
【００８５】
なお、この実施の形態５に係る監視カメラ６０は、そのヒータ５１とする抵抗５３が上面と下面に配置され、温度センサ５２が左右側面に１個ずつ配置される構成となっている。左右側面の一方に配置される温度センサ５２が下側に配置されるヒータ５１のオンオフ制御行い、左右側面の他方に配置される温度センサ５２が上側に配置されるヒータ５１のオンオフ制御を行うようになっている。このように構成すると、より細やかな温度制御が可能となる。
【００８６】
また、この監視カメラ６０のカメラ部１は、防水（防滴）用のケース７１を有するものとなっている。この防水用のケース７１は、他の監視カメラ１０，３０，４０，５０にも使用され得るもので、レンズ部１３と対向する位置に貫通孔７２が設けられ、その貫通孔７２に樹脂材からなる透明部材が嵌め込まれ、センサ１１と対向する側にも貫通孔７４が設けられ、その貫通孔７４に樹脂材からなる透明部材７５が嵌め込まれているものである。この防水用のケース７１によって監視カメラ６０は、屋外にも配置できることとなる。
【００８７】
上述の各実施の形態は、本発明の好適な実施例であるが、本発明の要旨を逸脱しない範囲で種々変更実施可能である。たとえば、昼間も夜間も検知範囲角度α内に物（者）が入ってきたときには１枚撮影し、加えて動きが継続される間は、所定時間間隔で撮影するようにしても良い。さらに、その所定間隔を、制御部２４内に保有されるプログラムや本体部３に設けられる操作手段によって、昼間より夜間を短くするようにしても良い。
【００８８】
また、検知範囲角度αを昼間より夜間が大きくなるように設定しても良い。このようにすると、夜間の方が検知回数が多くなり、不審者の撮影を確実に行うことができる。なお、この検知範囲角度αの設定は、制御部２４内のプログラムにて行ったり、本体部３の外部に設けられる操作手段によって行うようにしても良い。
【００８９】
また、昼間と夜間の切り替えをタイマではなく、ｃｄｓ等の照度検知手段をカメラ部１等に配置し、室外や室内の明るさを検知して自動的に昼間と夜間とを切り替えるようにしても良い。また、センサ１１を１つではなく複数配置するようにしても良い。
【００９０】
また、センサ部８をカメラ部１から切り離す構成としても良い。さらには、上述の実施の形態では、レンズ１２の画角β内に検知範囲角度αが納まり、かつβ＞αとなるようにしているが、レンズ１２の画角β内に検知範囲角度αが納まらないようにしても良い。すなわち、センサ１１の向きをレンズ１２の向きとは異なる向き、たとえばそれらの向きが直角関係となるように配置しても良い。また、防犯を重要視するような場合は、β≦αとなるようにしても良い。
【００９１】
上述の各実施の形態では、センサ１１の所定範囲となる検知範囲角度αとレンズ１２の画角βの関係を、水平方向と垂直方向（上下方向）の両方向で、β／１．５≧α≧β／６としているが、水平方向だけこの関係となるようにしても良い。
【００９２】
さらに、夜間より昼間の方を、より一層監視したい場合は、昼間の方が夜間より多くの映像が撮れるようにしても良い。すなわち、上述の各実施の形態や他の例で述べた、夜間と昼間の関係を逆となるようにしても良い。また、上述の各実施の形態では、移動体となる物（者）が検知角度範囲α内から外に出ていくときは、撮影しないようになっているが、出ていくときや動作が停止した瞬間、すなわちセンサ１１がオフした瞬間に撮影を行うようにしても良い。このオフの時間の撮影は、オン時の撮影に加えて、またはオン時の撮影に代えて行うようにしても良い。
【００９３】
また、カメラ部１と本体部３とを有線ではなく無線で接続するようにしたり、センサ１１のみまたは撮影手段のみを無線で本体部３へ接続するようにしても良い。なお、半導体メモリ２としては、フラッシュメモリの他に、ＥＥＰＲＯＭ、ＳＲＡＭ等他の半導体メモリを採用しても良い。
【００９４】
また、ヒータ５１としては、たとえばセメント抵抗などの抵抗５３に電流を流すことで形成しているが、カメラ機構部９を電熱ヒータに採用されているニクロム線等でぐるぐる巻きにして全体を温めるようにしても良い。また、監視カメラ５０で示される枠体部５４を金属製とし、その枠体部５４に電流を流すことでヒータの役割をさせるようにしても良い。
【００９５】
【発明の効果】
本発明の監視カメラは、撮影対象となる移動体を確実に撮影できると共に不必要な画像を撮影せず長期間の連続監視が可能となる。また、所定の範囲が外部から切り替え可能となっているので、監視カメラが配置される場所、監視カメラで撮影する対象等の条件に合わせ適切な撮影を行うことが可能となる。
【図面の簡単な説明】
【図１】  本発明の実施の形態１に係る監視カメラの構成を説明する図である。
【図２】  図１の監視カメラの回路構成ブロック図である。
【図３】  図１の監視カメラに使用されているセンサの検知範囲角度とレンズの画角との関係を説明する図である。
【図４】  本発明の実施の形態２に係る監視カメラの構成を説明する図である。
【図５】  本発明の実施の形態３に係る監視カメラの構成を説明する図である。
【図６】  本発明の実施の形態４に係る監視カメラの構成を説明する図である。
【図７】  本発明の実施の形態５に係る監視カメラの構成を説明する図である。
【符号の説明】
１  カメラ部
２  半導体メモリ
３  本体部
４  プッシュホン
５  テレビジョン（ＴＶ）
６  コンセント
７  ストロボ（アラーム手段）
８  センサ部
９  カメラ機構部
１０  監視カメラ
１１  センサ
１２  レンズ
１３  レンズ部
２１  ＡＤコンバータ
２２  圧縮伸張手段
２３  ＤＡコンバータ
２４  制御部
２５  モード切替スイッチ
２６  スルースイッチ
３０  監視カメラ
４０  監視カメラ
５０  監視カメラ
５１  ヒータ
５２  温度センサ
５３  抵抗
６０  監視カメラ
６１  フェルト（断熱材）
７１  防水用のケース
【図１】
0003765260.tif 000002
【図２】
0003765260.tif 000003
【図３】
0003765260.tif 000004
【図４】
0003765260.tif 000005
【図５】
0003765260.tif 000006
【図６】
0003765260.tif 000007
【図７】
0003765260.tif 000008